(57)【要約】【課題】扇部の一部に形成された切欠き部内でキャラクタ等の回転体を回転させることによって使用者の娯楽に供することができる安価なアクションうちわを提供すること。【解決手段】扇部３の一部を切り欠いて切欠き部３ａを形成し、該切欠き部３ａ内に回転体８を回転可能に収納保持し、該回転体８を切欠き部３ａ内で回転させる回転手段を設けてアクションうちわ１を構成する。ここで、前記回転手段は、前記回転体８に固定された第１の磁石１０と、該第１の磁石１０に対向配置された第２の磁石と、該第２の磁石を回転させてそのＮ，Ｓ極を交互に反転させるダイヤル１４を有する。【選択図】図１
2007111219.tif 000002
【特許請求の範囲】
【請求項１】
扇部の一部を切り欠いて切欠き部を形成し、該切欠き部内に回転体を回転可能に収納保持し、該回転体を切欠き部内で回転させる回転手段を設けて成ることを特徴とするアクションうちわ。
【請求項２】
前記回転手段は、前記回転体に固定された第１の磁石と、該第１の磁石に対向配置された第２の磁石と、該第２の磁石を回転させてそのＮ，Ｓ極を交互に反転させるダイヤルを有することを特徴とする請求項１記載のアクションうちわ。
【請求項３】
柄部の前記扇部との接続部にギヤボックスを設け、該ギヤボックス内に前記第２の磁石と前記ダイヤル及びピニオンを回転可能に収納するとともに、前記第２の磁石と共に回転する前記ピニオンをダイヤルに噛合せしめ、ダイヤルの回転をピニオンを介して増速して第２の磁石に伝達するよう構成したことを特徴とする請求項２記載のアクションうちわ。
【発明の詳細な説明】
【技術分野】
【０００１】
本発明は、扇部の一部を切り欠いて形成される切欠き部内でキャラクタ等の回転体を回転させるようにしたアクションうちわに関するものである。
【背景技術】
【０００２】
うちわは、柄部の先端に扇部を取り付けて構成され、夏期に簡便に涼を取る手段として利用されている。
【０００３】
ところで、うちわの扇部に光ファイバー等の発光部を設け、所望の光学画像を扇部に繰り返し表示することによって、絵柄以外にも楽しむ面白さを追求したものが提案されている（例えば、特許文献１参照）。
【０００４】
又、涼を取りながら遊戯・ゲームを楽しむことができるうちわも提案されている（例えば、特許文献２参照）。
【特許文献１】特開２００４−０７７５４８号公報
【特許文献２】特開平１１−１５１１１０号公報
【発明の開示】
【発明が解決しようとする課題】
【０００５】
ところで、イベント会場等でうちわが配布される場合があるが、配置されたうちわが単に涼を取るだけのものである場合では、これを受け取った者はイベント開始までの待ち時間を退屈に過ごさねばならない。このような場合、特許文献１において提案された発光するうちわや、特許文献２において提案された遊戯・ゲームを有するうちわを配布すれば、これを受け取った者は待ち時間を退屈しないで過ごすことができるが、このようなうちわは高価であり、これを全員に配布することはコスト的にも無理がある。
【０００６】
本発明は上記問題に鑑みてなされたもので、その目的とする処は、扇部の一部に形成された切欠き部内でキャラクタ等の回転体を回転させることによって使用者の娯楽に供することができる安価なアクションうちわを提供することにある。
【課題を解決するための手段】
【０００７】
上記目的を達成するため、請求項１記載の発明は、扇部の一部を切り欠いて切欠き部を形成し、該切欠き部内に回転体を回転可能に収納保持し、該回転体を切欠き部内で回転させる回転手段を設けてアクションうちわを構成したことを特徴とする。
【０００８】
請求項２記載の発明は、請求項１記載の発明において、前記回転手段は、前記回転体に固定された第１の磁石と、該第１の磁石に対向配置された第２の磁石と、該第２の磁石を回転させてそのＮ，Ｓ極を交互に反転させるダイヤルを有することを特徴とする。
【０００９】
請求項３記載の発明は、請求項２記載の発明において、柄部の前記扇部との接続部にギヤボックスを設け、該ギヤボックス内に前記第２の磁石と前記ダイヤル及びピニオンを回転可能に収納するとともに、前記第２の磁石と共に回転する前記ピニオンをダイヤルに噛合せしめ、ダイヤルの回転をピニオンを介して増速して第２の磁石に伝達するよう構成したことを特徴とする。
【発明の効果】
【００１０】
請求項１記載の発明によれば、回転手段によって回転体を扇部の切欠き部内で回転させることができるため、回転体として例えば馴染みのキャラクター等を採用すれば、当該アクションうちわを娯楽に供することができる。そして、このアクションうちわは、発光するうちわや遊戯・ゲームを有するうちわ等のように電源や複雑な回路を必要とせず、比較的簡易に構成されるため、安価に供給することができる。尚、扇部には切欠き部が部分的に形成されるのみであるため、当該アクションうちわを涼を取るために使用することもでき、うちわ本来の機能が損なわれることがない。
【００１１】
請求項２記載の発明によれば、ダイヤルによって第２の磁石を回転させてそのＮ，Ｓ極を交互に反転させることによって、第１の磁石と第２の磁石との間には吸着力と反発力が交互に作用するため、扇部の切欠き部内で回転体を回転させることができる。
【００１２】
請求項３記載の発明によれば、ダイヤルの回転はピニオンを介して増速されて第２の磁石に伝達されるため、ダイヤルの僅かな回転によっても第２の磁石を複数回回転させることができ、該第２の磁石体のＮ極とＳ極の反転が高速でなされ、回転体は、回転慣性力によって扇部の切欠き部内でシャフトを中心として回転することができる。
【発明を実施するための最良の形態】
【００１３】
以下に本発明の実施の形態を添付図面に基づいて説明する。
【００１４】
図１は本発明に係るアクションうちわの斜視図、図２は同アクションうちわの分解斜視図、図３は同アクションうちわのギヤボックスの内部構造を示す側断面図、図４は同正断面図、図５は同分解斜視図である。
【００１５】
本発明に係るアクションうちわ１は、図１に示すように、丸パイプ状の柄部２の先端に薄円板状の扇部３を取り付けて構成されており、図示しないが、扇部３には絵柄が印刷されている。尚、本実施の形態では、柄部２はプラスチック等の樹脂で構成され、扇部３は合成紙で構成されている。
【００１６】
ところで、図２に示すように、扇部３の一部は切り欠かれて縦方向に長い長円形の切欠き部３ａが形成されており、この切欠き部３ａの周縁は樹脂製の長円リング状ホルダー４が嵌め込まれて固定されている。このホルダー４の両側中間部の相対向する部位には半円柱状の軸受部４ａと矩形状の切欠き溝４ｂがそれぞれ形成されており、同ホルダー４の開いた部分の相対向する端面には矩形平板状の差込み片５が結着されている。
【００１７】
そして、上記ホルダー４の左右に形成された前記軸受部４ａには金属製のシャフト６が回転可能に挿通支持されており、該シャフト６のホルダー４の軸受部４ａから外側方へ突出する両端部には、ホルダー４の前記切欠き溝４ｂに配置されたシャフト止めブッシュ７が嵌着され、これによってシャフト６のホルダー４からの抜け止めが図られている。
【００１８】
又、上記シャフト６の幅方向中間部には回転体８が扇部３の切欠き部３ａ内で回転可能に支持されており、この回転体８は、シャフト６に挿通された左右２つのスリーブ９によってシャフト６上に位置決めされている。ここで、本実施の形態では、回転体８は、ブランコ８ａに着座したスヌーピー等の動物キャラクター８ｂと、この動物キャラクター８ｂの頭部に軸８ｃによって支持された飛行機８ｄで構成されており、ブランコ８ａの底部には円板状の第１の磁石１０が固定されている。
【００１９】
尚、回転体８としては、立体ボール、迷路ゲーム等の立体アクションゲームセット、立体アクションドール、回転することによってメロディや音声或は光等を発する回転ユニット等の他の任意のものを採用することができる。又、回転体を回転させるための回転手段としては、磁力を利用するものの他、ゴムやスプリング等の弾性体の弾発力を利用するもの等、他の任意のものを採用することができる。
【００２０】
他方、柄部２の上端部には矩形ボックス状のギヤボックス１１が取り付けられており、このギヤボックス１１の両側部には、ブロック状の係合部１２が取り付けられており、各係合部１２には係合溝１２ａが上下方向に形成されている。
【００２１】
そして、ギヤボックス１１内には、前記回転体８を扇部３の切欠き部３ａ内で回転させるための回転手段が収納されている。
【００２２】
即ち、図５に示すように、ギヤボックス１１は、その一側部が開口する本体１１Ａと、この本体１１Ａの開口部を覆う蓋部材１１Ｂによって構成されており、本体１１Ａの側壁内面にはボス１１ａが横方向に一体に突設されている。そして、このボス１１ａには金属製の軸１３が水平に支持されており、この軸１３にはギヤを兼ねる大径のダイヤル１４が回転可能に支持されている。このダイヤル１４は、その一部がギヤボックス１１のスリット部から外部に露出しており、この露出した部分を操作してダイヤル１４を自由に回転させることができる。尚、軸１３の端部は、蓋部材１１Ｂに形成された円孔１１ｂに回転可能に挿通支持されている（図５参照）。
【００２３】
又、ギヤボックス１１内には、小径のピニオン１５ａを一体に形成して成る回転磁石体１５が回転可能に収納されている。即ち、この回転磁石体１５の両端に横方向に一体に突出する軸部１５ｂは、ギヤボックス１１の本体１１Ａと蓋部材１１Ｂの相対向する位置に形成された円孔１１ｃ，１１ｄ（図５参照）に回転可能に挿通支持されており、回転磁石体１５のピニオン１５ａは、前記ダイヤル１４に噛合している。又、回転磁石体１５のピニオン１５ａを除くブロック部１５ｃには円柱状の第２の磁石１６が埋設されている。
【００２４】
而して、ギヤボックス１１の両側部に取り付けられた係合部１２の係合溝１２ａに、扇部３側に取り付けられたホルダー４の差込み片５を上方から差し込んで係合させることによって、扇部３をギヤボックス１１に取り付けることができ、これによって本発明に係るアクションうちわ１が組み立てられる（図１参照）。
【００２５】
このように構成されたアクションうちわ１においては、扇部３の一部を切り欠いて形成される長円状の切欠き部３ａに動物キャラクター３ｂ等を含む回転体８が回転可能に収容されるとともに、該回転体８を回転させる回転手段を構成するダイヤル１４、ピニオン１５ａと第２の磁石１６を備える回転磁石体１５等を収納して成るギヤボックス１１が柄部２と扇部３との接続部に設けられている。そして、回転手段は、回転体８のブランコ８ａの底部に固定された第１の磁石１０によっても構成されており、この第１の磁石１０にギヤボックス１１内に収容された第２の磁石１６が対向するように配置されている。
【００２６】
次に、本発明に係るアクションうちわ１の動作について説明する。
【００２７】
柄部２を把持して当該アクションうちわ１を片手で持った状態で、ギヤボックス１１の外部に一部が露出するダイヤル１４を親指で回転操作すると、該ダイヤル１４の回転はピニオン１５ａを経て増速されて回転磁石体１５に伝達され、該回転磁石体１５が回転駆動される。すると、回転磁石体１５のブロック部１５ｃに埋設された第２の磁石１６のＮ極とＳ極が交互に反転するため、回転体８のブランコ８ａの底部に固定された第１の磁石１０と第２の磁石１６との間に吸着力と反発力が交互に作用する。即ち、第１の磁石１０の第２の磁石１６に対向する側の磁極が例えばＮ極である場合には、第２の磁石１６のＮ極が第１の磁石１０のＮ極に対向する場合には両者間に反発力が作用するため、回転体８はシャフト６を中心として回転し、第２の磁石１６のＳ極が第１の磁石１０のＮ極に対向する場合には両者間に吸引力が作用するため、回転体８は元の位置に戻る。
【００２８】
而して、前述のようにダイヤル１４の回転は増速されて回転磁石体１５に伝達されるため、ダイヤル１５の僅かな回転によっても回転磁石体１５を複数回回転させることができ、該回転磁石体１５に設けられた第２の磁石体１６のＮ極とＳ極の反転が高速でなされ、動物キャラクター８ｂや飛行機８ｄを含む回転体８は、回転慣性力によって扇部３の切欠き部３ａ内でシャフト６を中心として回転する。
【００２９】
このため、このようなアクションうちわ１が例えばイベント会場で配布されたような場合、イベイトが開始されるまでの待ち時間において、このアクションうちわ１を娯楽に供することができ、ダイヤル１４を操作して回転体８を回転させることによって待ち時間を有意義に過ごすことができる。そして、このアクションうちわ１は、発光するうちわや遊戯・ゲームを有するうちわ等のように電源や複雑な回路を必要とせず、比較的簡易に構成されるため、安価に供給することができる。
【００３０】
又、扇部３には切欠き部３ａが部分的に形成されるのみであるため、扇部３の送風という本来の機能が維持され、当該アクションうちわ１を涼を取るために使用することもでき、うちわ本来の機能が損なわれることがない。
【図面の簡単な説明】
【００３１】
【図１】本発明に係るアクションうちわの斜視図である。
【図２】本発明に係るアクションうちわの分解斜視図である。
【図３】本発明に係るアクションうちわのギヤボックスの内部構造を示す側断面図である。
【図４】本発明に係るアクションうちわのギヤボックスの内部構造を示す正断面図である。
【図５】本発明に係るアクションうちわのギヤボックスの内部構造を示す分解斜視図である。
【符号の説明】
【００３２】
１        アクションうちわ
２        柄部
３        扇部
３ａ      切欠き部
４        ホルダー
５        差込み片
６        シャフト
７        シャフト止めブッシュ
８        回転体
９        スリーブ
１０      第１の磁石
１１      ギヤボックス
１１Ａ    ギヤボックス本体
１１Ｂ    蓋部材
１２      係合部
１３      軸
１４      ダイヤル
１５      回転磁石体
１５ａ    ピニオン
１５ｂ    軸部
１５ｃ    ブロック部
１６      第２の磁石
【図１】
2007111219.tif 000003
【図２】
2007111219.tif 000004
【図３】
2007111219.tif 000005
【図４】
2007111219.tif 000006
【図５】
2007111219.tif 000007